(57)【特許請求の範囲】
【請求項１】
車台（２）の下側に走行装置（３）を設け、該車台（２）の前側に刈取機（１３）を昇降自在に設け、該車台（２）の上側に脱穀機（１２）を設け、該脱穀機（１２）の右側に穀粒貯留タンク（５）を設け、該穀粒貯留タンク（５）の前方の部位に操縦席（１８ｂ）を設け、穀粒貯留タンク（５）の底部に穀粒を後方へ移送する底部移送螺旋（１４ａ）を設け、該底部移送螺旋（１４ａ）によって移送された穀粒を引き継いで移送する縦移送筒（６）を穀粒貯留タンク（５）の後側に設け、該縦移送筒（６）の上端部に設けた継手メタル（２３）に第１移送螺旋（７）を内装した第１移送筒（８）を取り付け、該第１移送筒（８）の端部に設けた回動受メタル（２８）の横側部に第１孔（２８ｂ）を設け、第２移送螺旋（９）を内装する第２移送筒（１０）の端部に設けた回動メタル（３０）の横側部に第２孔（３０ａ）を設け、該第１孔（２８ｂ）と第２孔（３０ａ）に支持軸（３３）を挿入して第１移送筒（８）と第２移送筒（１０）とを折り畳み自在に接続し、第２移送筒（１０）の外周部下側の所定位置に前挿入孔（３７ａ）を備えた前側の前受板（３７）と後挿入孔（３８ａ）を備えた後側の後受板（３８）を固着し、該第２移送筒（１０）を折り畳んで第１移送筒（８）の横側に収納する際に操縦席（１８ｂ）上から回動操作する丸棒状の回動ハンドル（１１）を、前挿入孔（３７ａ）と後挿入孔（３８ａ）に挿入して引き出し状態及び収納状態に前後移動自在に第２移送筒（１０）側に支持し、該第２移送筒（１０）を折り畳んで第１移送筒（８）の横側に収納した状態において、前記回動ハンドル（１１）を収納状態に操作すると該回動ハンドル（１１）の握り部（３９）が前記回動メタル（３０）から突出しない構成とし、前記第１移送筒（８）の外周の横一側部に固着した支持受具（３５ａ）に、下方へ折曲した折曲部（３６ａ）を先端部に有し第２移送筒（１０）を折り畳んで第１移送筒（８）の横側に収納するときに該第２移送筒（１０）の外周下部を受ける略Ｌ字形状の案内ガイド（３６）を設けたことを特徴とするコンバイン。
【請求項２】
前記第２移送筒（１０）に結合ピン（１０ａ）を固着し、支持受具（３５ａ）には挿入孔（３５ｃ）を設け、第２移送筒（１０）を折り畳むときに、該第２移送筒（１０）が案内ガイド（３６）で案内されて結合ピン（１０ａ）が挿入孔（３５ｃ）へ挿入される構成としたことを特徴とする請求項１記載のコンバイン。
【発明の詳細な説明】
【０００１】
【発明の属する技術分野】
この発明は、穀粒排出装置を備えたコンバインに関するものである。
【０００２】
【従来の技術】
コンバインで立毛穀稈を収穫するときには、このコンバインの前部に設けた刈取機で刈取りした刈取り穀稈は、この刈取機で移送され、後部に設けた脱穀機へ供給され、この脱穀機で脱穀され、脱穀済みの穀粒は、揚穀装置で揚送されて穀粒貯留タンク内へ供給され、この穀粒貯留タンク内で一時貯留される。
【０００３】
貯留した穀粒を機外へ排出するときは、穀粒貯留タンク内の穀粒は、この穀粒貯留タンクから縦移送筒内へ供給され、この縦移送筒に内装した縦移送螺旋から後移送筒内へ移送供給され、この後移送筒に内装した後移送螺旋で前移送筒内へ移送供給され、この前移送筒に内装した前移送螺旋で引継ぎされて移送され、この前移送筒の前端部に設けた排出筒の下部の排穀口から機外へ排出される。
【０００４】
又、前記コンバインを納屋内へ収納するとき、又は路上走行のとき、及び圃場間を移動走行するときには、作業者が操縦席から一度おりて、前移送筒を回動操作して折り畳み、後移送筒の横側へこの前移送筒を位置させて収納状態にして、納屋への収納、及び収穫作業中以外の時の走行を行う。
【０００５】
【発明が解決しようとする課題】
後移送筒の前端部に設けた前移送筒を回動操作して、折り畳み状態、又は作業状態にするときには、操縦席に搭乗した作業者は、一度この操縦席からおりて、回動操作をしないと、折り畳み状態、又は作業状態にすることができなく、このために、これらの操作がめんどうであったが、この発明により、この問題を解決しようとするものである。
【０００６】
【課題を解決するための手段】
このために、請求項１記載の発明は、車台（２）の下側に走行装置（３）を設け、該車台（２）の前側に刈取機（１３）を昇降自在に設け、該車台（２）の上側に脱穀機（１２）を設け、該脱穀機（１２）の右側に穀粒貯留タンク（５）を設け、該穀粒貯留タンク（５）の前方の部位に操縦席（１８ｂ）を設け、穀粒貯留タンク（５）の底部に穀粒を後方へ移送する底部移送螺旋（１４ａ）を設け、該底部移送螺旋（１４ａ）によって移送された穀粒を引き継いで移送する縦移送筒（６）を穀粒貯留タンク（５）の後側に設け、該縦移送筒（６）の上端部に設けた継手メタル（２３）に第１移送螺旋（７）を内装した第１移送筒（８）を取り付け、該第１移送筒（８）の端部に設けた回動受メタル（２８）の横側部に第１孔（２８ｂ）を設け、第２移送螺旋（９）を内装する第２移送筒（１０）の端部に設けた回動メタル（３０）の横側部に第２孔（３０ａ）を設け、該第１孔（２８ｂ）と第２孔（３０ａ）に支持軸（３３）を挿入して第１移送筒（８）と第２移送筒（１０）とを折り畳み自在に接続し、第２移送筒（１０）の外周部下側の所定位置に前挿入孔（３７ａ）を備えた前側の前受板（３７）と後挿入孔（３８ａ）を備えた後側の後受板（３８）を固着し、該第２移送筒（１０）を折り畳んで第１移送筒（８）の横側に収納する際に操縦席（１８ｂ）上から回動操作する丸棒状の回動ハンドル（１１）を、前挿入孔（３７ａ）と後挿入孔（３８ａ）に挿入して引き出し状態及び収納状態に前後移動自在に第２移送筒（１０）側に支持し、該第２移送筒（１０）を折り畳んで第１移送筒（８）の横側に収納した状態において、前記回動ハンドル（１１）を収納状態に操作すると該回動ハンドル（１１）の握り部（３９）が前記回動メタル（３０）から突出しない構成とし、前記第１移送筒（８）の外周の横一側部に固着した支持受具（３５ａ）に、下方へ折曲した折曲部（３６ａ）を先端部に有し第２移送筒（１０）を折り畳んで第１移送筒（８）の横側に収納するときに該第２移送筒（１０）の外周下部を受ける略Ｌ字形状の案内ガイド（３６）を設けたことを特徴とするコンバインとしたものである。
【０００７】
請求項２記載の発明は、前記第２移送筒（１０）に結合ピン（１０ａ）を固着し、支持受具（３５ａ）には挿入孔（３５ｃ）を設け、第２移送筒（１０）を折り畳むときに、該第２移送筒（１０）が案内ガイド（３６）で案内されて結合ピン（１０ａ）が挿入孔（３５ｃ）へ挿入される構成としたことを特徴とする請求項１記載のコンバインとしたものである。
【０００８】
【０００９】
【００１０】
【００１１】
【００１２】
【発明の効果】
請求項１記載の発明によると、第１移送筒（８）に折り畳み自在に設けた第２移送筒（１０）に、該第２移送筒（１０）を折り畳んで第１移送筒（８）の横側に収納する際に回動操作する回動ハンドル（１１）を、第２移送筒（１０）の外周部下側の所定位置に固着した前側の前受板（３７）の前挿入孔（３７ａ）と後側の後受板（３８）の後挿入孔（３８ａ）に挿入して引き出し状態及び収納状態に前後移動自在に支持したことにより、作業者が操縦席（１８ｂ）上から操作可能な操作力の軽い折り畳み用の回動ハンドル（１１）を構成することができた。しかも、この回動ハンドル（１１）を収納状態に操作すると、回動ハンドル（１１）の握り部（３９）が第２移送筒（１０）の端部に設けた回動メタル（３０）から突出しないので、コンバインの機体を覆う機体カバーの着脱時に、この回動ハンドル（１１）が障害物になりにくく、この機体カバーの破損を少なくすることができる。
【００１３】
また、第１移送筒（８）の外周の横一側部に固着した支持受具（３５ａ）に、下方へ折曲した折曲部（３６ａ）を先端部に有し第２移送筒（１０）を折り畳んで第１移送筒（８）の横側に収納するときに該第２移送筒（１０）の外周下部を受ける略Ｌ字形状の案内ガイド（３６）を設けたことにより、第２移送筒（１０）の折り畳み操作が容易となる。
【００１４】
請求項２記載の発明によると、上記請求項１記載の発明の効果に加えて、第２移送筒（１０）が案内ガイド（３６）と結合ピン（１０ａ）との両者で支持されるため、該第２移送筒（１０）の支持が確実となる。
【００１５】
【発明の実施の形態】
以下、本発明の一実施例を図面に基づいて説明する。
コンバイン１の走行装置３の上側に設けた走行車台（車台）２の上側に載置した脱穀機１２の右横側に装着した穀粒貯留タンク５内に貯留した穀粒を機外へ排出する穀粒排出装置である縦移送螺旋６ａを内装した縦移送筒６の上端部側には、後移送螺旋（第１移送螺旋）７を内装した後移送筒（第１移送筒）８と、この後移送筒８の前端部に前移送螺旋（第２移送螺旋）９を内装した折り畳み自在な前移送筒（第２移送筒）１０とを設け、この前移送筒１０の下側には、回動ハンドル１１を設け、これら前・後移送筒１０、８、及び回動ハンドル１１等を主に図示して説明する。
【００１６】
前記コンバイン１の走行車台２の下側には、図１４で示す如く土壌面を走行する左右一対の走行クローラ４を張設した走行装置３を配設し、走行車台２の上側には、脱穀機１２を載置した構成である。走行車台２の前側の刈取機１３で立毛穀稈を刈取りし、この刈取り穀稈はこの刈取機１３で移送され、脱穀機１２のフィードチエン１２ａと挟持杆１２ｂとで引継ぎ挟持移送して脱穀し、脱穀済みで選別済みの穀粒を回収して一時貯留する穀粒貯留タンク５は、脱穀機１２の右横側に装着した構成である。穀粒貯留タンク５へ穀粒の供給は、脱穀機１２の右横側に設けた揚穀装置２７により、供給する構成である。
【００１７】
前記脱穀機１２の前部で走行車台２の前側には、図１４で示す如く前端位置から立毛穀稈を分離するナローガイド１５ａ、及び分草体１５ｂと、この分離された穀稈を引起す引起装置１６ａと、引起された穀稈を掻込み移送する掻込移送装置１７ａと、掻込された穀稈を刈取る刈刃装置１６ｂと、刈取り穀稈を移送して、脱穀機１２のフィードチエン１２ａと挟持杆１２ｂとへ受渡しする穀稈移送装置１７ｂとを設けてなる刈取機１３は、油圧駆動による伸縮シリンダ１３ａにより、土壌面に対して昇降自在に作用させる構成である。
【００１８】
前記脱穀機１２側には、図１４で示す如くコンバイン１を始動、停止、及び各部を調節等の操作を行う操作装置１８ａと、これらの操作を行う作業者が搭乗する操縦席１８ｂとを設け、この操縦席１８ｂの下側で、走行車台２の上側には、エンジン１８ｃを載置すると共に、後方部には、穀粒貯留タンク５を配設する。これら走行装置３と、脱穀機１２と、刈取機１３と、エンジン１８ｃ等により、コンバイン１の機体１ａを構成している。
【００１９】
前記刈取機１３の穀稈移送装置１７ｂによって形成される穀稈移送経路中には、刈取られて移送される穀稈に接触作用することにより、脱穀機１２へ穀稈の供給の有無を検出する穀稈センサ１３ｂを設けた構成である。走行車台２の前端部に装架された走行用のミッションケース１９ａの伝動経路中には、その出力回転数に基づく走行車速を検出する車速センサ１９ｂを設けた構成である。
【００２０】
前記穀粒貯留タンク５内の底部には、貯留穀粒を後方部へ移送する前後移送螺旋（底部移送螺旋）１４ａを前後方向に設けると共に、後方へ移送される穀粒を引継ぎして、継手ケース１４ｂを介して方向変換する縦移送螺旋６ａを内装した縦移送筒６を略垂直姿勢で回動可能に、継手ケース１４ｂの上側で穀粒貯留タンク５の後側に設けた構成である。
【００２１】
前記縦移送筒６の上端部には、上端部を支点として、その全長がコンバイン１の前後長に亘り折畳み自在、上下回動自在、旋回自在で穀粒を機外へ排出する折畳穀粒移送装置２０を設けた構成である。
前記操作装置１８ａの表面板１８ｄの外側面には、図１３で示す如く折畳穀粒移送装置２０を主として操作する各種スイッチ、及び各種操作レバー等を図示して説明する。折畳穀粒移送装置２０を上下回動、及び左右旋回操作するオーガレバー２１ａと、エンジン１８ｃの動力をこの折畳穀粒移送装置２０へ伝達する籾排出レバー２１ｂとを設け、この籾排出レバー２１ｂを排出位置へ操作すると、穀粒貯留タンク５内の穀粒を機外へ排出できる構成である。
【００２２】
又、前記折畳穀粒移送装置２０等を始動、及び停止させるときに操作するＯＮ−ＯＦＦスイッチ方式のスイッチ２２ａと、旋回させるときに操作するＯＮ−ＯＦＦスイッチ方式の旋回スイッチ２２ｂと、ＯＮ−ＯＦＦスイッチ方式のランプスイッチ２２ｃとを設けた構成である。
【００２３】
前記縦移送筒６の上端部に設けた継手メタル２３の前側には、図２〜図４、及び図６で示す如く後移送螺旋７を内装した後移送筒８を設けた構成である。
前記継手メタル２３は、図６で示す如く縦メタル２４ａと横メタル２４ｂとよりなる構成であり、これら縦・横メタル２４ａ、２４ｂ内には、図６で示す如く引継螺旋２５と、この引継螺旋２５の移送終端に固着した移送羽根２５ａとを設けると共に、後移送螺旋７の後螺旋軸７ａの移送始端部と、後受ブッシュ７ｆとの間に亘る外径部には、始端螺旋２６を固着して設けた構成である。
【００２４】
前記縦移送筒６へ供給されて、縦移送螺旋６ａで移送される穀粒は、継手メタル２３内の引継螺旋２５から、始端螺旋２６、及び後移送筒８内の後移送螺旋７へと順次引継ぎされて、移送される構成である。
前記筒形状の後移送筒８は、図５、及び図６で示す如くＬ字形状の継手メタル２３の前側に固着して設け、この後移送筒８の前端部には、ベアリング２８ａを内装した回動受メタル２８を固着して設け、この回動受メタル２８の一方側の横側部には、受孔２８ｂを設けた構成である。該ベアリング２８ａの内径部には、先端部にクラッチ爪２９ａを設け、後側の外径部が六角形状の後螺旋補助軸２９を挿入して軸支した構成である。
【００２５】
前記後移送筒８内には、図５、及び図６で示す如く後移送螺旋７を内装した構成である。この後移送螺旋７はパイプ形状の後螺旋軸７ａの外径部に後螺旋プレート７ｂを固着すると共に、前端の内径部には、内径が六角形状の受ブッシュ７ｃを挿入して固着し、後端の内径部には、内径が六角形状の後受ブッシュ７ｆを挿入して固着した構成である。
【００２６】
前記後移送螺旋７の受ブッシュ７ｃは、回動受メタル２８に設けた後螺旋補助軸２９へ挿入して軸支すると共に、後受ブッシュ７ｆは、継手メタル２３の横メタル２４ｂの後受軸７ｄへ挿入して軸支し、この後移送螺旋７を回転自在に軸支した構成である。
【００２７】
前記筒形状の前移送筒１０は、図１〜図５、及び図７、図８で示す如く後端部に回動メタル３０を固着して設けると共に、前端部に排出筒３１を装着して設けた構成である。回動メタル３０の一方側の横側部には、受孔（第２孔）３０ａを設け、この受孔３０ａと回動受メタル２８の受孔（第１孔）２８ｂとには、支持軸３３を挿入して、この前移送筒１０と、後移送筒８とを接続させた構成である。この前移送筒１０の固定は後移送筒８の外周部に固着したコ字形状の支持枠３２に固定用ハンドル３２ａを挿入して装着し、この固定用ハンドル３２ａを回動操作し、前移送筒１０の回動メタル３０の突出部３０ｂへ結合させて、これら回動メタル３０と回動受メタル２８とを締付けする構成である。
【００２８】
前記回動メタル３０には、ベアリング３０ｃを内装して設け、このベアリング３０ｃには、先端部にクラッチ爪３４ａを設けた前螺旋補助軸３４を挿入して軸支した構成である。
前記前移送筒８内には、図５で示す如く前移送螺旋９を内装した構成である。この前移送螺旋９はパイプ形状の前螺旋軸９ａの外径部に前螺旋プレート９ｂを固着すると共に、後端の内径部には、内径が六角形状の受ブッシュ９ｃを挿入して固着し、又、前端の内径部には、前受軸９ｄを挿入して固着した構成である。回動受メタル２８の後螺旋補助軸２９のクラッチ爪２９ａと、前螺旋補助軸３４のクラッチ爪３４ａとが噛合し、この前移送螺旋９と、後移送螺旋７とが同時に回転駆動する構成である。
【００２９】
前記前移送螺旋９の受ブッシュ９ｃは、回動メタル３０に設けた前螺旋補助軸３４へ挿入すると共に、前受軸９ｄは排出筒３１の前側壁板３１ａの内側面に設けた受メタル３１ｃへ挿入し、この前移送螺旋９を回転自在に軸支した構成である。該前移送螺旋９で移送された穀粒は、排出筒３１の下部の排穀口３１ｂより、機外へ排出される構成である。
【００３０】
前記回動受メタル２８と回動メタル３０との締付けは、固定用ハンドル３２ａ以外に、図７で示す如く締付用孔２８ｃ、３０ｄを設けて、ボルト、及びナット等により装着した構成である。
前記後移送筒８の外径の一方側の横側には、図７、及び図８で示す如く支持装置３５を設け、この支持装置３５のコ字形状の支持受具３５ａを固着して設け、この支持受具３５ａには、ゴム材、又は樹脂材等よりなるクッション部材３５ｂを設けると共に、挿入孔３５ｃを設けた構成である。保持受具３５ａの先端の下側には、前移送筒１０を回動操作して折畳みしたときに、この前移送筒１０の外径下部を受ける略Ｌ字形状で先端部が下方へ折曲した折曲部３６ａを設けた案内ガイド３６を固着して設けた構成である。
【００３１】
前記案内ガイド３６は前移送筒１０を保持したときは、該前移送筒１０の中心位置（イ）から折曲部３６ａまでの間（Ｌ）は、前移送筒１０へ固着した結合ピン１０ａの全長（Ｌ１）より、大きくした構成である。この前移送筒１０を折畳み操作のときに、この案内ガイド３６でこの前移送筒１０が案内されて、結合ピン１０ａが保持受具３５の挿入孔３５ｃへ容易に挿入可能な構成であると共に、この前移送筒１０を確実に保持する構成であり、又、この結合ピン１０ａには、抜け止め用のヘヤーピン１０ｂを挿入した構成である。この案内ガイド３６には、クッション部材３５ｂを複数個設けた構成である。
【００３２】
前記案内ガイド３６を設けたことにより、前移送筒１０の折畳み操作が容易であり、又、この案内ガイド３６と結合ピン１０ａとの両者で支持されることにより、支持が確実である。更に支持受具３５ａと案内ガイド３６とには、クッション部材３５ａを設けたことにより、前移送筒１０へ傷が付くことを防止できる構成である。
【００３３】
前記前移送筒１０の外径部には、図１〜図４で示す如くこの前移送筒１０を折り畳んで、後移送筒８の横側へ収納状態にするときに、回動操作する回動ハンドル１１を設け、低価格で操作力の軽い折り畳み機構にした構成である。
前記回動ハンドル１１は丸棒材よりなる構成であり、図１〜図４で示す如く前移送筒１０の外周部の下側で、所定位置の前後両側には、前・後受板３７、３８を固着して設けた構成であり、該前・後受板３７、３８の前・後挿入孔３７ａ，３８ａへ挿入して前後移動自在で引き出し状態、及び収納状態に支持した構成である。この回動ハンドル１１の前後両端部には、ゴム材、又は樹脂材等よりなる把り３９を挿入した構成である。前移送筒１０を収納状態に操作したときには、回動ハンドル１１も収納状態に操作する構成であり、このときには、この回動ハンドル１１の把り３９部（握り部３９）が前移送筒１０の回動メタル３０の前側面より突出しない構成である。
【００３４】
前記前移送筒１０の下側に設けた回動ハンドル１１の引出し、及び収納操作は、作業者が操縦席１８ｂ上より、操作可能な構成である。
前記回動ハンドル１１の外周部には、ゴム材、又は樹脂材等よりなる弾性材の固定装置４０を挿入して設けた構成である。該固定装置４０には、挿入孔４０ａを設け、この挿入孔４０ａは前受板３７に固着して設けた固定ピン４１の頭部４１ａの前側へ挿入して、回動ハンドル１１の前後操作時以外のときの前後移動を防止する構成である。回動ハンドル１１を操作するときには、固定装置４０の挿入孔４０ａを固定ピン４１から取り出しする構成である。又、固定装置４０の着脱操作は、作業者が操縦席１８ｂ上より、操作が可能な構成である。
【００３５】
前記回動ハンドル１１は前移送筒１０の下側に前後移動自在に設けて、作業者が操縦席１８ｂに座ったままで操作できると共に、コンバイン１を圃場へ一時放置するときに、機体１ａを覆う機体カバー（図示せず）の着脱時に障害物になることなく、又、この機体カバーの破損を防止する構成である。
【００３６】
前記回動ハンドル１１に固定装置４０を設けて、この回動ハンドル１１が自然に前後移動することを防止した構成である。
収納状態の前記前移送筒１０を穀粒を排出状態に回動操作するときは、結合ピン１０ａへ挿入したヘヤーピン１０ｂを抜き、回動受メタル２８と回動メタル３０とを接合させた固定用ハンドル３２ａを回動して、結合を解放させると共に、固定装置４０を取り外しする。
【００３７】
その後に、図４で示す如く前移送筒１０を作業者が操縦席１８ｂ上より、左外方向へ手で押して、後移送筒８に対して略直角状になるまで回動操作した後に、回動ハンドル１１を引き出し、この回動ハンドル１１で回動操作して、前移送筒１０を後移送筒８へ接合状態に操作する構成であり、その後に固定用ハンドル３２ａにより、これら前・後移送筒１０、８を接合する。その後にヘヤーピン１０ｂを挿入すると共に、回動ハンドル１１を収納状態に操作して、固定装置４０で固定する構成である。
【００３８】
前記穀粒貯留タンク５の後側には、図９〜図１２で示す如くこの穀粒貯留タンク５に内装した前後移送螺旋１４ａの移送終端部を受けて、穀粒の移送方向を上方部へと変更する継手ケース１４ａを設け、この継手ケース１４ａの右横側には、複数個の取付ネジ孔４２ａと、後側には、位置固定ボス４２ｂを設けると共に、継手ケース１４ａの上側面には、縦移送筒６を回動自在に装着した構成である。この回転により、前・後移送筒１０、８が左右に旋回する構成である。
【００３９】
前記継手ケース１４ａには、図１２で示す如く取付台４３の横側の取付孔４３ａ部は、継手ケース１４ａの取付ネジ孔４２ａ部へボルト等で装着した構成であり、又、取付台４３の後側のボス孔４３ｂは、継手ケース１４ａの後側の位置固定ボス４２ｂ部へ挿入すると共に、後側の取付孔４３ｃ部は、走行車台２の上側面へボルト、及びナット等で装着した構成である。
【００４０】
モータ受台４４は、図１２で示す如く下側部に下取付孔４４ａを設け、この下取付孔４４ａ部は、継手ケース１４ｂの右側で、走行車台２の上側面へボルト、及びナット等で装着した構成である。上側部の左右両側には、モータ取付台４５を装着する上取付孔４４ｂを設けた構成である。
【００４１】
正逆回転する旋回用モータ４６は、図１２で示す如くモータ取付台４５の上側面へボルト、及びナット等で装着した構成であり、旋回用モータ４６の変速用のモータ軸４６ａの下部の軸端部には、ギヤー４６ｂを軸支した構成である。
前記モータ取付台４５の前後両側の取付孔４５ａ，４５ａと、モータ受台４４の上取付孔４４ｂ，４４ｂとは、ボルト、及びナット等で装着した構成である。
【００４２】
前記縦移送筒６に設けたギヤー６ｂと、旋回用モータ４６のギヤー４６ｂとは、図１０で示す如く噛合する構成であり、旋回用モータ４６の回転駆動により、縦移送筒６は左、又は右へ回転する構成である。
前記旋回用モータ４６の取付部以外の前・後移送筒１０、８をユニットとして、他機種に使用することができることにより、コスト低減が可能であり、又、旋回用モータ４６は継手ケース１４ｂの右横側に設けたことにより、従来の後側に設けたものに対して、コンバイン１の前後長を大幅に短くすることができて、大幅なコスト低減ができると共に、右側より、旋回用モータ４６部のチエックを容易に行うことができる。
【図面の簡単な説明】
【図１】  回動ハンドル部の拡大側面図
【図２】  前移送筒部の作用拡大平面図
【図３】  前移送筒部の収納状態時の拡大平面図
【図４】  前移送筒部の作用拡大平面図
【図５】  前・後移送筒の接合部の拡大平断面図
【図６】  後移送筒と縦移送筒との接合部の拡大平断面図
【図７】  案内ガイド部の拡大正面図
【図８】  案内ガイド部の拡大平面図
【図９】  旋回用モータ部の拡大平面図
【図１０】  旋回用モータ取付部の拡大正面図
【図１１】  旋回用モータ取付部の拡大平面図
【図１２】  旋回用モータ取付部の拡大背面斜視図
【図１３】  操作装置部の拡大背面斜視図
【図１４】  コンバインの全体側側面図
【符号の説明】
２    走行車台（車台）
３    走行装置
５    穀粒タンク
６    縦移送筒
７    後移送螺旋（第１移送螺旋）
８    後移送筒（第１移送筒）
９    前移送螺旋（第２移送螺旋）
１０    前移送筒（第２移送筒）
１０ａ 結合ピン
１１    回動ハンドル
１２    脱穀機
１３    刈取機
１４ａ  前後移送螺旋（底部移送螺旋）
１８ｂ  操縦席
２３    継手メタル
２８    回動受メタル
２８ｂ  受孔（第１孔）
３０    回動メタル
３０ａ  受孔（第２孔）
３１ｂ  排穀
３３    支持軸
３５ａ 支持受具
３５ｃ 挿入孔
３６ 案内ガイド
３６ａ 折曲部
３７ 前受板
３７ａ 前挿入孔
３８ 後受板
３８ａ 後挿入孔
３９    把り部（握り部）
【図１】
0004465834.tif 000002
【図２】
0004465834.tif 000003
【図３】
0004465834.tif 000004
【図４】
0004465834.tif 000005
【図５】
0004465834.tif 000006
【図６】
0004465834.tif 000007
【図７】
0004465834.tif 000008
【図８】
0004465834.tif 000009
【図９】
0004465834.tif 000010
【図１０】
0004465834.tif 000011
【図１１】
0004465834.tif 000012
【図１２】
0004465834.tif 000013
【図１３】
0004465834.tif 000014
【図１４】
0004465834.tif 000015